(57)【要約】      （修正有）【課題】線引具のケースを分解する際、ケース内のチョーク粉末を取り出すことなく、且つ、工具を用いることなくケースを分解できるようにしてメンテナンス性を向上させ、また、糸の引き出しによるリールの惰性回転を素早く減速させ停止させることができる線引具を提供する。【解決手段】線引具を、リール室１とマーキング用着色部材室７とから構成し、リール室１を半ケース１ａ、１ｂの２ピース構成にしてそれぞれを蝶番９で連結し、連結状態をパッチン錠１０で保持する。また、マーキング用着色部材室７のリール室１側の投入口に、リールに巻き取られる糸からマーキング用着色部材を取り除く除去部材を設けた着脱蓋を設ける。また、リール２の回転に対応する回転体２ｂと、ケースの任意部材に固定した固定体２ｃとを断続的に接触させ、リール２の惰性回転を減速させる。【選択図】図１
0003195048.tif 000002
【実用新案登録請求の範囲】
【請求項１】
ケース内に糸を巻回するリールが回転自在に設けられ、該リールから進出させた糸にマーキング用着色部材を付着させてケース外に案内する線引具であって、ケースが、少なくともリール室とマーキング用着色部材室とから構成され、該マーキング用着色部材室はケース外部から着脱操作できるようになっているとともに、マーキング用着色部材室のリール室側の開口には着脱自在の蓋体が設けられており、且つ、蓋体の糸通過部には、リールに巻き取られる糸からマーキング用着色部材を取り除くための除去部材が設けられていることを特徴とする線引具。
【請求項２】
上記リール室が２ピース構成になっており、それぞれが連結部材で連結されるとともに、所定の保持用部材で連結状態が保持されてリール室が形成されるようになっていることを特徴とする請求項１に記載の線引具。
【請求項３】
上記リール室に、糸の引き出しを止めたことにより生じるリールの惰性回転を減速させるための減速装置が設けられており、該減速装置が、リールの回転に対応する回転体と、ケースの任意部材に固定した固定体とから構成され、上記回転体と固定体とが断続的に接触するようになっていることを特徴とする請求項１に記載の線引具。
【請求項４】
上記減速装置の一方には、概ね遠心方向に突出する少なくとも先端寄りが柔軟になっている突出体が設けられ、他方には、上記突出体の先端と接触する接触体が設けられていることを特徴とする請求項３に記載の線引具。
【請求項５】
上記突出体は上記固定体に複数設けられ、該固定体を概ね船舶の操舵輪状に形成するとともに、該操舵輪のグリップ位置に突出体を設けていることを特徴とする請求項４に記載の線引具。
【請求項６】
上記接触体は上記回転体に複数設けられ、該回転体を環体状に形成するとともに、該環体上に接触体を設けていることを特徴とする請求項４に記載の線引具。
【請求項７】
上記回転体がリールの回転面に設けられ、上記固定体がケースに設けられていることを特徴とする請求項３に記載の線引具。
【請求項８】
上記マーキング用着色部材が、チョーク粉末であることを特徴とする請求項１に記載の線引具。
【考案の詳細な説明】
【技術分野】
【０００１】
本考案は、線引具に関し、より詳しくは、メンテナンス性を向上させた線引具に関するものである。
【背景技術】
【０００２】
従来の線引具は、糸を巻回したリール（糸巻用ドラム）が回転自在に支持されたケース内にチョーク粉末などの粉末体が入っていて、ケースの糸出入口に係止する糸に結ばれたフック（かるこ）を引き出すと、リールから進出した糸にチョーク粉末が付着してケースの糸出入口からケース外に出てくる。
【０００３】
この線引具による線引作業（マーキング作業）は、ケースの糸出入口に係止する糸に結ばれたフック（かるこ）を引き出すと共にこのフックを線引範囲の他方の端に置いて糸を張り、この糸を上方に持ち上げて放すことによって糸が被線引面（例えば、道路面）に叩き付けられ、糸に付着するチョーク粉末が被線引面に付着し、直線を引くことができる。
【０００４】
そして、線引作業が終わると、ケースに備えるハンドルを糸の巻き取り方向に回転させることで引き出されている糸がケース内のリールに巻き取られる。リールとハンドルは回転を伝達する軸を介して接続されており、普通、リールはケース内に配置され、ハンドルはケースの外部に配置される。
【０００５】
しかしながら、リール（糸巻用ドラム）が回転することにより、糸巻用ドラムの付近にあるチョーク粉末すなわち粉末体が圧縮されて固形化しチョーク塊になり、このチョーク塊がケース内壁に圧着され、これにより、リールの回転が阻害されてリールの回転がギクシャクしたり、また、リールを回すことができなくなることがあった。
【０００６】
この不具合を直すには、ケース内からチョーク粉末などの粉末体を取り出し、次いで、所定の工具を用いて線引具のケースを分解し、ケース内壁に圧着しているチョーク塊を削り取らねばならなかった。従って、リールの不具合が作業中に発生してしまった場合は、工具を必要とするので現場での修理ができないことから修理の際は現場を離れて例えば自社の営業車まで戻らなければならず、非常にメンテナンス性が劣っていた。これにより、線引き作業を長時間中断しなければならなかった。
【０００７】
また、上述の他にもケースを分解しなければ直せない不具合があって、これは主にリールに生じた惰性回転によって該リールから飛び出した糸を巻き取るときに生じる糸の絡まりであり、上記惰性回転とは、線引作業（マーキング作業）のとき、線引範囲の一方の端に置いたケースからフック（かるこ）を持って糸を引き出して行き、線引範囲の他方の端まで到達したときフックを止めてもリールは停止することなく惰性で回転し続けることである。そして、この惰性回転によってケース内に飛び出した糸をリールに巻き取る時などに糸どうしの絡まりが生じていた。特に、長い距離に線引を行う場合、作業者が駆け足で移動して糸を引き出すためリールの回転速度は増し、糸の飛び出し量は相当なものであった。
【０００８】
そして、上述の糸どうしの絡まりを直す場合は、ケース内からチョーク粉末などの粉末体を取り出し、次いで、所定の工具を用いて線引具のケースを分解し、糸の絡まりを直さなければならなかった。従って、上述のチョーク塊を除去する場合と同じく、リールの不具合が作業中に発生してしまった場合は、工具を必要とするので現場での修理ができないことから修理の際は現場を離れて例えば自社の営業車まで戻らなければならず、非常にメンテナンス性が劣っていた。これにより、線引き作業を長時間中断しなければならなかった。
【先行技術文献】
【特許文献】
【０００９】
【特許文献１】特開２００５−２１３０１９号公報
【考案の概要】
【考案が解決しようとする課題】
【００１０】
本考案の目的とするところは、ケースを分解する際、ケース内のチョーク粉末を取り出すことなく、且つ、工具を用いることなくケースを分解できるようにしてメンテナンス性を向上させ、また、糸の引き出しによるリールの惰性回転を素早く減速させ停止させることができる線引具を提供できるようにすることにある。
【課題を解決するための手段】
【００１１】
上述した課題を解決するために、本考案に係る線引具は、ケース内に糸を巻回するリールが回転自在に設けられ、該リールから進出させた糸にマーキング用着色部材を付着させてケース外に案内する線引具であって、ケースが、少なくともリール室とマーキング用着色部材室とから構成され、該マーキング用着色部材室はケース外部から着脱操作できるようになっているとともに、マーキング用着色部材室のリール室側の開口には着脱自在の蓋体が設けられており、且つ、蓋体の糸通過部には、リールに巻き取られる糸からマーキング用着色部材を取り除くための除去部材が設けられていることを特徴とするものである。
【００１２】
上記マーキング用着色部材室の着脱操作方法も特に限定するものではなく、適宜公知手段を用いて構成すればよいが、本線引具の使用形態を考慮すれば、螺着による着脱操作方法を採用するのがよい。
【００１３】
また、蓋体の糸通過部に設ける除去部材も特に限定するものではなく、リールに巻き取られる糸からマーキング用着色部材たるチョーク粉末を取り除くことができるものであれはどのようなものでもよいが、保守部材としての流通性や経済性を考慮すれば、適当なフェルト材を採用するのがよい。
【００１４】
また、上記リール室を２ピース構成にして、それぞれを連結部材で連結するとともに、所定の保持用部材で連結状態を保持できるようにしてリール室が形成されるようにするのがよく、具体的には、リール室を上側ケースと下側ケースとで構成し、上側ケースの開口面と下側ケースの開口面とが合わさるように連結部材たる蝶番で連結し、保持用部材たる例えばパッチン錠やキャッチクリップなどで連結状態を保持してリール室が形成されるようにする。
【００１５】
なお、保持用部材は突条などのガイドで保護し、使用中に手が触れることなどによって保持状態が解除されないようにするのが望ましい。
【００１６】
また、上記リール室に、糸の引き出しを止めたことにより生じるリールの惰性回転を減速させる減速装置を設けるのがよく、具体的には、該減速装置を、リールの回転に対応する回転体と、リール室の任意部材に固定した固定体とから構成すればよく、該構成としては、一方に、概ね遠心方向に突出する少なくとも先端寄りが柔軟性や弾性に優れる突出体を設け、他方に、上記突出体の先端と接触する接触体を設けて、リールの回転に対応させて突出体と接触体とを断続的に接触させ、該接触抵抗で回転スピードを素早く低下させ停止させるようにする。
【００１７】
そして、減速装置の具体的な形態としては、固定体においては概ね船舶の操舵輪状に形成し、該操舵輪のグリップ位置に突出体を設けるのがよい。また、固定体を一体成型品にするのであれば、柔軟性を有する素材を用いて該固定体全体を形成すればよい。さらに、突出体の形状も特に限定するものではなく、回転体との接触による破損が生じない形状体であれば、板状や柱状（円柱や角柱など）また筒状などの所望の形状にすればよい。
【００１８】
また、回転体においては環体状に形成し、該環体上に接触体を配設するのがよい。該接触体の形状も特に限定するものではなく、固定体との接触による破損が生じない形状体であれば、断面視で四角などの角形状や三角状また半円状など所望の形状にすればよい。そして、接触体の設置数や設置間隔なども特に限定するものではなく、線引具の種類や用途に合わせて選定すればよい。また、接触体の
素材も特に限定するものではなく、柔軟性や弾性に優れる素材を用いてもよい。
さらに、回転体本体の素材も特に限定するものではなく、例えば、一体成型品にするのであれば、これに適した素材で形成すればよい。
【００１９】
なお、回転体はリールの回転面すなわち糸が巻回される糸巻き（ボビン）部の側板外面に設けのが望ましく、また、固定体はリール室内のケース部材に設けるのがよく、勿論、回転体の突出体と固定体の接触体とが接触するように設ける。
【００２０】
また線引具は、リール室とマーキング用着色部材室とから構成され、また、マーキング用着色部材室に有する糸の出入り口と反対方向に位置するリール室もしくはリール室に続けて線引具の持ち手が設けられており、持ち手は、折り畳めるようにしたり、伸縮できるようにしてもよい。そして、線引具は樹脂素材や金属素材など適宜素材から形成されている。
【００２１】
糸は、マーキング用着色部材たるチョーク粉末が付着可能な素材を用い、具体的には、綿やナイロン素材からなる撚紐や網紐そして組紐等である。そして、マーキング用着色部材室における糸の外部出入口には、糸に余分に付いた粉末体を落とす適当な落とし手段（例えばフェルト材）が設けられる。また、ケースの所望の部位に、ケース内に溜まった粉末体を排出する排出部を設けてもよい。
【００２２】
またリールは、リール操作用ハンドルを手動で回して外部に引き出した糸を巻き取るようにしているのが普通であるが、遊星歯車などの増速手段を用いて巻き取り速度を２倍、３倍またこれ以上早く巻き取れるように構成してもよい。そして、電動モータなどを用いて巻き取ってもよく、この電源も、二次電池を用いたりソーラ発電によって電源を供給してもよい。また、このリール操作用ハンドルは折り畳んだり、伸縮できるようにしてもよい。
【考案の効果】
【００２３】
本考案の線引具によれば、ケースが、少なくともリール室とマーキング用着色部材室とから構成され、また、マーキング用着色部材室をケース外部から着脱操作できるので、リール室内で何らかの不具合が生じた場合には、マーキング用着色部材室を取り外すことで、作業現場でもリール室を工具を用いることなく素早く分解できる。従って、従来に比してメンテナンス性を格段に向上させることができる。
【００２４】
また、マーキング用着色部材室を取り外したときも、リール室側の開口に着脱自在の蓋体が設けられているので、マーキング用着色部材室から収容するマーキング用着色部材たるチョーク粉末がこぼれ出たり、マーキング用着色部材室に砂埃や水分などの異物が入り込む可能性も低く、取り外したマーキング用着色部材室を安心して置いておくことができる。
【００２５】
さらに、マーキング用着色部材室のリール室側に設けている蓋体の糸通過部には、リールに巻き取られる糸からマーキング用着色部材たるチョーク粉末を取り除くための除去部材が設けられているので、リールに巻き取られる糸に付着してリール室に進入するチョーク粉末の量を格段に低減できるため、従来に比してリールの回転不良などの不具合の発生率を格段に低減することができる。
【００２６】
そして、本線引具には、糸の引き出しによるリールの惰性回転を素早く減速させ停止させることができる減速装置が設けられているので、リール室内に飛び出した糸が絡まって生じるリールの回転不良もゼロに等しくできる。
【００２７】
上述のことにより、線引具におけるメンテナンス面でのウィークポイントを改善できるので、線引き作業時における作業者の負担軽減とともに、スムースな線引き作業を行うことができる。この作業者の負担軽減と作業のスムース性は、作業の安全性に直結する事項であるので、本線引具による効果は非常に大なるものである。
【００２８】
さらに、従来リール室のケースにはケース合わせ目にパッキンを設けて、マーキング用着色部材室から流入したマーキング用着色部材たるチョーク粉末がケース合わせ目から外部に漏洩しないよう厳重に密閉し、またこの密閉性を高めるため多数の螺子などで固定していたが、本線引具はパッキンや固定用螺子が必要なくなり、公知のケース合わせ目構造で十分に事足りるので、コストも低減できて市場競争力を格段に向上させることができる。
【図面の簡単な説明】
【００２９】
【図１】本考案に係る線引具の内部構造の概略を示す斜視図。
【図２】線引具の全体を示す斜視図。
【図３】粉末体収容室の一部分を拡大した図。
【図４】本線引具に備える減速装置の形態を示した図。
【図５】回転体の接触体と固定体の突出体との接触形態を示した図。
【図６】ケースの合わせ状態保持用の保持用部材のガイドを示した図。
【考案を実施するための形態】
【００３０】
以下、本考案に係る線引具を、添付図面に示す具体例に基づいて説明する。図１は、本線引具の内部構造の概略を示す斜視図で、図中の符号１が、線引具のリール室、符号１ａ、１ｂは、リール室１の半ケース、符号２は、マーキング用の糸８（本図では省略）を巻回するリール、またリール２は、リール操作用ハンドル３に接続されている。符号２ａは、リール２の糸巻き部側板である。
【００３１】
符号４は、チョーク粉末などのマーキング用着色部材を収容するマーキング用着色部材室７の雄螺子７ａを螺着するための雌ねじ５が形成されているマーキング用着色部材室７の取付部である。符号６は、線引具を携帯するときや、線引作業（マーキング作業）の際にケースから出た糸８（図２を参照）をマーキング面に押し付けるときに使用される持ち手である。
【００３２】
また、リール室１は、半ケース１ａの開口面と半ケース１ｂの開口面とが合わさるように蝶番９で連結されているとともに、この連結状態を保持用部材たるパッチン錠１０を用いて半ケース１ａと半ケース１ｂとを固定している。符号１０ａは、受け用フック１０ｂに引っ掛ける本体のリングである。そして、図６に示すように、パッチン錠１０は突条１１で保護し、使用中に手が触れることなどにより、半ケース１ａと半ケース１ｂとの固定が簡単に解除されないようにしておくのがよい。
【００３３】
図２は、線引具の全体を示していて、マーキング用着色部材室７内においてマーキング用着色部材たるチョーク粉末（図示は省略）が付着した糸８は、マーキング用着色部材室７に形成した出入り口７ｂから外部に出る。また糸８には、引き出し易いようにフックたるリング８ａが設けられており、このリング８ａは、マーキング用着色部材室７内への糸８の引き込み防止機能も果たす。
【００３４】
そして、本線引具のマーキング用着色部材室７には、図３中の（ａ）に示すように、着脱蓋７ｃが設けられており、この着脱蓋７ｃを取り外すことで、図３中の（ｂ）に示すように、マーキング用着色部材たるチョーク粉末（図示は省略）を投入するための投入口７ｄが現れる。また、着脱蓋７ｃや投入口７ｄに適宜パッキンを設け、チョーク粉末の漏洩をより確実に防止しするようにしてもよい。
【００３５】
なお、着脱蓋７ｃの着脱方法なども特に限定するものではなく、公知技術から適宜選定すればよい。また着脱蓋７ｃは、螺着や嵌着（押込み装着）などによって簡単に外れない構造にしてもよく、線引具の形態などを考慮して適宜選定すればよい。
【００３６】
また、着脱蓋７ｃには、リール２から進出する糸８が通過する糸通過口７ｅが備えられ、この糸通過口７ｅに続きマーキング用着色部材室７内側には、リールに巻き取られる糸８からマーキング用着色部材たるチョーク粉末を取り除くための除去部材たるフェルト（図示は省略）の収容室７ｆが設けられている。
【００３７】
そして、本リール室１には、糸８の引き出しを止めたことにより生じるリール２の惰性回転を減速させるための減速装置が設けられており、本減速装置は、図４中の（ａ）に示すように、リール２の糸巻き部側板２ａに設けている回転体２ｂと、図４中の（ｂ）に示すように、ケースにおける半ケース１ｂのケース内面に固定している固定体２ｃとから構成している。
【００３８】
この回転体２ｂ（図４中の（ａ））は、環体状に形成されており、この環体上に接触体２ｄが設けられている。また、固定体２ｃ（図４中の（ｂ））は、船舶の操舵輪状に形成されており、この操舵輪のグリップ位置に回転体２ｂの接触体２ｄと接触する突出体２ｅが設けられている。
【００３９】
そして、図２の線引具の完成状態では、図４中の（ｃ）に示すように、リール２の糸巻き部側板２ａに設けられた回転体２ｂ内に、半ケース１ｂのケース内面に設けられた固定体２ｃが位置し、リール２の回転によって回転体２ｂが回転すると、回転体２ｂの接触体２ｄが固定体２ｃの突出体２ｅに断続的に接触しながら回転するようになっている。この接触したときの接触抵抗によって惰性回転しているリール２のスピードが素早く低下して停止する。また接触形態は、図５に示すように、回転体２ｂの接触体２ｄが固定体２ｃの突出体２ｅを押し下げる。
【符号の説明】
【００４０】
１…リール室
１ａ…半ケース
１ｂ…半ケース
２…リール
２ａ…糸巻き部側板
２ｂ…回転体
２ｃ…固定体
２ｄ…接触体
２ｅ…突出体
３…リール操作用ハンドル
４…取付部
５…雌ねじ
６…持ち手
７…マーキング用着色部材室
７ａ…雄ねじ
７ｂ…出入り口
７ｃ…着脱蓋
７ｄ…投入口
７ｅ…糸通過口
７ｆ…収容室
８…糸
８ａ…リング
９…蝶番
１０…パッチン錠
１０ａ…リング
１０ｂ…受け用フック
１１…突条
【図１】
0003195048.tif 000003
【図２】
0003195048.tif 000004
【図３】
0003195048.tif 000005
【図４】
0003195048.tif 000006
【図５】
0003195048.tif 000007
【図６】
0003195048.tif 000008